【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】
画面に表示されるデータに設定されたリンク情報に基づいて、画面のリンク先を順次検索するリンク先検索手段と、
前記リンク先検索手段によって検索されたリンク先の画面に対応する画像データを出力する出力手段と、
を有することを特徴とする画像情報処理装置。
【請求項２】
前記リンク先検索手段によって検索されたリンク先の画面に表示されるデータの名前を記憶するデータ名記憶手段、をさらに有し、
前記出力手段は、
前記リンク先検索手段の検索処理が完了した後、前記データ名記憶手段に記憶されているデータ名に対応する画像データを出力する、
ことを特徴とする請求項１記載の画像情報処理装置。
【請求項３】
デジタルデータ放送のデータ伝送方式において設定されたデータ名情報に基づいて、データ放送番組を構成するデータ放送画面を構成するデータの名前を抽出するデータ名抽出手段と、
前記データ名抽出手段によって抽出されたデータ名を記憶するデータ名記憶手段と、
前記データ名記憶手段に記憶されているデータ名に対応する画像データを出力する出力手段と、
を有することを特徴とする画像情報処理装置。
【請求項４】
印刷する画面の情報を記憶する印刷画面情報記憶手段と、
前記リンク先検索手段によって検索されたリンク先の画面の情報が前記印刷画面情報記憶手段に記憶されているか否かを判断する判断手段と、
前記リンク先検索手段によって検索されたリンク先の画面の情報が前記印刷画面情報記憶手段に記憶されている場合は、当該画面に対する印刷を禁止し、前記リンク先検索手段によって検索されたリンク先の画面の情報が前記印刷画面情報記憶手段に記憶されていない場合は、当該画面に対する印刷を許可する制御手段と、
をさらに有することを特徴とする請求項１記載の画像情報処理装置。
【請求項５】
前記リンク先検索手段によって検索されたリンク先の画面に表示されるデータの名前が前記データ名記憶手段に記憶されているか否かを判断する判断手段と、
前記リンク先検索手段によって検索されたリンク先の画面に表示されるデータの名前が前記データ名記憶手段に記憶されていない場合に、当該データ名を前記データ名記憶手段に記憶させる制御手段と、
をさらに有することを特徴とする請求項２記載の画像情報処理装置。
【請求項６】
画面に表示されるデータに対する階層情報に基づいて、前記リンク先検索手段によって検索されたリンク先の画面の中から、階層が表示中の画面以下である画面を抽出する第１抽出手段、をさらに有し、
前記出力手段は、
前記第１抽出手段によって抽出された画面に対応する画像データを出力する、
ことを特徴とする請求項１記載の画像情報処理装置。
【請求項７】
前記第１抽出手段は、
前記リンク先検索手段の検索結果および画面に表示されるデータに対する階層情報に基づいて、前記リンク先検索手段によって検索されたリンク先の画面の中から、表示中の画面からのリンク先であって階層が当該表示中の画面よりも下位である画面を抽出する、
ことを特徴とする請求項６記載の画像情報処理装置。
【請求項８】
画面に表示されるデータに対する階層情報に基づいて、前記データ名記憶手段に記憶されているデータ名のデータが表示される画面の中から、階層が表示中の画面以下である画面を抽出する第１抽出手段、をさらに有し、
前記出力手段は、
前記第１抽出手段によって抽出された画面に対応する画像データを出力する、
ことを特徴とする請求項３記載の画像情報処理装置。
【請求項９】
画面に表示されるデータに設定されたリンク情報に基づいて、画面のリンク先を順次検索するリンク先検索手段、をさらに有し、
前記第１抽出手段は、
前記リンク先検索手段の検索結果および画面に表示されるデータに対する階層情報に基づいて、前記データ名記憶手段に記憶されているデータ名のデータが表示される画面の中から、表示中の画面からのリンク先であって階層が当該表示中の画面よりも下位であるページ画面を抽出する、
ことを特徴とする請求項８記載の画像情報処理装置。
【請求項１０】
画面に表示されるデータに設定されたカテゴリ属性情報に基づいて、前記リンク先検索手段によって検索されたリンク先の画面の中から、カテゴリが表示中の画面のカテゴリと同一である画面を抽出する第２抽出手段、をさらに有し、
前記出力手段は、
前記第２抽出手段によって抽出された画面に対応する画像データを出力する、
ことを特徴とする請求項１記載の画像情報処理装置。
【請求項１１】
前記第２抽出手段は、
前記リンク先検索手段の検索結果および画面に表示されるデータに設定されたカテゴリ属性情報に基づいて、前記リンク先検索手段によって検索されたリンク先の画面の中から、表示中の画面からのリンク先であってカテゴリが表示中の画面のカテゴリと同一である画面を抽出する、
ことを特徴とする請求項１０記載の画像情報処理装置。
【請求項１２】
画面に表示されるデータに設定されたカテゴリ属性情報に基づいて、前記データ名記憶手段に記憶されているデータ名のデータが表示される画面の中から、カテゴリが表示中の画面のカテゴリと同一である画面を抽出する第２抽出手段、をさらに有し、
前記出力手段は、
前記第２抽出手段によって抽出された画面に対応する画像データを出力する、
ことを特徴とする請求項３記載の画像情報処理装置。
【請求項１３】
画面に表示されるデータに設定されたリンク情報に基づいて、画面のリンク先を順次検索するリンク先検索手段、をさらに有し、
前記第２抽出手段は、
前記リンク先検索手段の検索結果および画面に表示されるデータに設定されたカテゴリ属性情報に基づいて、前記データ名記憶手段に記憶されているデータ名のデータが表示される画面の中から、表示中の画面からのリンク先であってカテゴリが当該表示中の画面のカテゴリと同一である画面を抽出する、
ことを特徴とする請求項１２記載の画像情報処理装置。
【請求項１４】
前記データ名記憶手段に記憶されているデータ名のデータが表示される画面の印刷の順番を決定する印刷順決定手段と、
前記印刷順決定手段によって決定された印刷の順番および画面に表示されるデータに設定されたリンク情報に基づいて、前記データ名記憶手段に記憶されているデータ名のデータが表示される画面に対応する画像データに、当該画面に対応するページ番号および当該画面に含まれるリンク先に対応するページ番号を付加するページ番号付加手段と、をさらに有し、
前記出力手段は、
前記ページ番号付加手段によってページ番号が付加された画像データを出力する、
ことを特徴とする請求項２または請求項３記載の画像情報処理装置。
【請求項１５】
画面に表示されるデータに設定されたリンク情報に基づいて、画面のリンク先を順次検索するリンク先検索ステップと、
前記リンク先検索ステップで検索されたリンク先の画面に対応する画像データを出力する出力ステップと、
を有することを特徴とする画像情報処理方法。
【請求項１６】
前記リンク先検索ステップで検索されたリンク先の画面に表示されるデータの名前をデータ名記憶手段に記憶するデータ名記憶ステップ、をさらに有し、
前記出力ステップは、
前記リンク先検索ステップでの検索処理が完了した後、前記データ名記憶手段に記憶されているデータ名に対応する画像データを出力する、
ことを特徴とする請求項１５記載の画像情報処理方法。
【請求項１７】
デジタルデータ放送のデータ伝送方式において設定されたデータ名情報に基づいて、データ放送番組を構成するデータ放送画面を構成するデータの名前を抽出するデータ名抽出ステップと、
前記データ名抽出ステップで抽出されたデータ名をデータ名記憶手段に記憶するデータ名記憶ステップと、
前記データ名記憶手段に記憶されているデータ名に対応する画像データを出力する出力ステップと、
を有することを特徴とする画像情報処理方法。
【請求項１８】
印刷する画面の情報を印刷画面情報記憶手段に記憶する印刷画面情報記憶ステップと、
前記リンク先検索ステップで検索されたリンク先の画面の情報が前記印刷画面情報記憶手段に記憶されているか否かを判断する判断ステップと、
前記リンク先検索ステップで検索されたリンク先の画面の情報が前記印刷画面情報記憶手段に記憶されている場合は、当該画面に対する印刷を禁止し、前記リンク先検索ステップで検索されたリンク先の画面の情報が前記印刷画面情報記憶手段に記憶されていない場合は、当該画面に対する印刷を許可する制御ステップと、
をさらに有することを特徴とする請求項１５記載の画像情報処理方法。
【請求項１９】
前記リンク先検索ステップで検索されたリンク先の画面に表示されるデータの名前が前記データ名記憶手段に記憶されているか否かを判断する判断ステップと、
前記リンク先検索ステップで検索されたリンク先の画面に表示されるデータの名前が前記データ名記憶手段に記憶されていない場合に、当該データ名を前記データ名記憶手段に記憶させる制御ステップと、
をさらに有することを特徴とする請求項１６記載の画像情報処理方法。
【請求項２０】
画面に表示されるデータに対する階層情報に基づいて、前記リンク先検索ステップで検索されたリンク先の画面の中から、階層が表示中の画面以下である画面を抽出する第１抽出ステップ、をさらに有し、
前記出力ステップは、
前記第１抽出ステップで抽出された画面に対応する画像データを出力する、
ことを特徴とする請求項１５記載の画像情報処理方法。
【請求項２１】
画面に表示されるデータに対する階層情報に基づいて、前記データ名記憶手段に記憶されているデータ名のデータが表示される画面の中から、階層が表示中の画面以下である画面を抽出する第１抽出ステップ、をさらに有し、
前記出力ステップは、
前記第１抽出ステップで抽出された画面に対応する画像データを出力する、
ことを特徴とする請求項１７記載の画像情報処理方法。
【請求項２２】
画面に表示されるデータに設定されたカテゴリ属性情報に基づいて、前記リンク先検索ステップで検索されたリンク先の画面の中から、カテゴリが表示中の画面のカテゴリと同一である画面を抽出する第２抽出ステップ、をさらに有し、
前記出力ステップは、
前記第２抽出ステップで抽出された画面に対応する画像データを出力する、
ことを特徴とする請求項１５記載の画像情報処理方法。
【請求項２３】
画面に表示されるデータに設定されたカテゴリ属性情報に基づいて、前記データ名記憶手段に記憶されているデータ名のデータが表示される画面の中から、カテゴリが表示中の画面のカテゴリと同一である画面を抽出する第２抽出ステップ、をさらに有し、
前記出力ステップは、
前記第２抽出ステップで抽出された画面に対応する画像データを出力する、
ことを特徴とする請求項１７記載の画像情報処理方法。
【請求項２４】
前記データ名記憶手段に記憶されているデータ名のデータが表示される画面の印刷の順番を決定する印刷順決定ステップと、
前記印刷順決定ステップで決定された印刷の順番および画面に表示されるデータに設定されたリンク情報に基づいて、前記データ名記憶手段に記憶されているデータ名のデータが表示される画面に対応する画像データに、当該画面に対応するページ番号および当該画面に含まれるリンク先に対応するページ番号を付加するページ番号付加ステップと、をさらに有し、
前記出力ステップは、
前記ページ番号付加ステップでページ番号が付加された画像データを出力する、
ことを特徴とする請求項１６または請求項１７記載の画像情報処理方法。
【請求項２５】
請求項１５から請求項２４のいずれかに記載の画像情報処理方法をコンピュータに実行させるためのプログラム。
【請求項２６】
前記出力手段によって出力される画像データを記憶する画像データ記憶手段と、
与えられた印刷条件に基づいて、前記画像データ記憶手段に記憶されている画像データを処理する画像データ処理手段と、をさらに有し、
前記出力手段は、
前記画像データ処理手段によって処理された画像データを出力する、
ことを特徴とする請求項１または請求項３記載の画像情報処理装置。
【請求項２７】
デジタルデータ放送のデータ伝送方式において設定されたデータ名情報に基づいて、データ放送番組を構成するデータ放送画面を構成するデータの名前を抽出するデータ名抽出手段と、
前記データ名抽出手段によって抽出されたデータ名を記憶するデータ名記憶手段と、
前記データ名記憶手段に記憶されているデータ名に対応する画像データを抽出する画像データ抽出手段と、
与えられた印刷条件に基づいて画像データに対して行うべき処理を記述したコマンドと、前記画像データ抽出手段によって抽出された画像データとを出力する印刷データ送出手段と、
を有することを特徴とする画像情報処理装置。
【手続補正２】
【補正対象書類名】明細書
【補正対象項目名】０１７７
【補正方法】変更
【補正の内容】
【０１７７】
印刷用ＢＭＬパーサ部１２８は、印刷命令制御部１１６からの制御命令により、モノメディア記憶部１１０その他各部（たとえば、出力先記入部１３４）からＢＭＬファイルを受け取り、構文解析を行ってプリンタ２００で印刷可能なフォーマット（たとえば、ポストスクリプトなど）に変換する。フォーマット変換後の画像データは、印刷データとしてプリンタ制御部１３０に渡される。